(57)【要約】【課題】便座装置の表示部において汚れをたまりにくくすること。【解決手段】便座装置１は、中空に形成されたケーシング１１を有する本体部１０と、中空に形成され、ケーシング１１に支持された便座２０と、ケーシング１１内に収納され、発光可能に設けられた発光部１３と、ケーシング１１の所定部位１１ｅ３に設けられ、発光部１３の発光によって運転状態を示す表示部１２と、を備えている。表示部１２は、ベース部１２ａと、ベース部１２ａに対して厚みが薄くなるように形成され、発光部１３が発した光を透過させて運転状態を示す薄肉部１２ｂと、を備えている。【選択図】  図１
2019126382.tif 000002
【特許請求の範囲】
【請求項１】
中空に形成されたケーシングを有する本体部と、
中空に形成され、前記ケーシングに支持された便座と、
前記ケーシングおよび前記便座の一方の部材内に収納され、発光可能に設けられた発光部と、
前記一方の部材の所定部位に設けられ、前記発光部の発光によって運転状態を示す表示部と、を備えた便座装置であって、
前記表示部は、
ベース部と、前記ベース部に対して厚みが薄くなるように形成され、前記発光部が発した光を透過させて前記運転状態を示す薄肉部と、を備えている便座装置。
【請求項２】
前記表示部と前記一方の部材とは、一体に形成されている請求項１に記載の便座装置。
【請求項３】
前記薄肉部は、前記ベース部の内側面より凹むように形成されている請求項１または請求項２に記載の便座装置。
【請求項４】
前記薄肉部は、円柱状に凹むように形成されている請求項３に記載の便座装置。
【請求項５】
前記薄肉部は、前記ベース部の外側面より凹むように形成されている請求項１乃至請求項４の何れか一項に記載の便座装置。
【請求項６】
前記便座は、閉状態である場合に、前記ケーシングの天井部を覆うように設けられている請求項１乃至請求項５の何れか一項に記載の便座装置。
【請求項７】
前記一方の部材は、前記便座であり、
前記表示部は、前記便座における頂上部に設けられている請求項１乃至請求項６の何れか一項に記載の便座装置。
【発明の詳細な説明】
【技術分野】
【０００１】
本発明は、便座装置に関する。
【背景技術】
【０００２】
便座装置の一形式として、特許文献１に示されているものが知られている。特許文献１の図１乃至図４に示されているように、機能機器の外郭部５および外郭部５の上部に設けられた表示機器４を備えている。表示機器４は、外郭部５内に配置されてＬＥＤ８ａを有して機能機器の動作状態を表示する表示発光部８、外郭部５に設けられた複数の表示窓６、ＬＥＤ８ａを保護するとともに、表示窓６に嵌め込まれてＬＥＤ８ａからの光を外部に放出する凸状導光部１０を有する保護部材９を備えている。保護部材９は、表示窓６周縁と凸状導光部１０との間の隙間から侵入する水を逃がしてＬＥＤ８ａを保護する溝部１２が設けられている。
【先行技術文献】
【特許文献】
【０００３】
【特許文献１】特許第４９１５５９６号公報
【発明の概要】
【発明が解決しようとする課題】
【０００４】
しかしながら、上述した特許文献１の便座装置においては、表示窓６周縁の隙間に汚れがたまり、表示機器４（表示部）の見栄えが低下することが考えられる。
【０００５】
本発明は、上述した問題を解消するためになされたもので、便座装置の表示部において汚れをたまりにくくすること目的とする。
【課題を解決するための手段】
【０００６】
上記の課題を解決するため、請求項１に係る便座装置は、中空に形成されたケーシングを有する本体部と、中空に形成され、ケーシングに支持された便座と、ケーシングおよび便座の一方の部材内に収納され、発光可能に設けられた発光部と、一方の部材の所定部位に設けられ、発光部の発光によって運転状態を示す表示部と、を備えた便座装置であって、表示部は、ベース部と、ベース部に対して厚みが薄くなるように形成され、発光部が発した光を透過させて運転状態を示す薄肉部と、を備えている。
【発明の効果】
【０００７】
これによれば、表示部は、所定部位に設けられ、薄肉部にて発光部が発した光を透過させることにより、便座装置の運転状態を表示する。また、薄肉部は、ベース部に対して厚みが薄くなるように形成されている。よって、所定部位において隙間や段差が無い表示部を設けることができる。したがって、便座装置の表示部において汚れをたまりにくくすることができる。
【図面の簡単な説明】
【０００８】
【図１】本発明の第一実施形態に係る便座装置の斜視図であり、便座が閉状態である場合を表している。
【図２】図１に示す便座装置の斜視図であり、便座が開状態である場合を表している。
【図３】図１に示す便座装置の側面図である。
【図４】図１に示す便座装置の背面図である。
【図５】図１に示す便座装置の上面図である。
【図６】図１に示す表示部の上面図である。
【図７】図６に示すVII-VII線に沿った表示部の断面図である。
【図８】本発明の第二実施形態に係る便座装置の斜視図である。
【図９】本発明の第三実施形態に係る便座装置の斜視図である。
【図１０】本発明の各実施形態の第一変形例に係る表示部の断面図である。
【図１１】本発明の各実施形態の第二変形例に係る表示部の断面図である。
【図１２】本発明の各実施形態の第三変形例に係る表示部の断面図である。
【図１３】本発明の各実施形態の第四変形例に係る表示部の上面図である。
【発明を実施するための形態】
【０００９】
＜第一実施形態＞
以下、本発明による便座装置の第一実施形態について説明する。なお、本明細書においては説明の便宜上、図１における上側および下側をそれぞれ便座装置１の上方および下方とし、同じく左上側および右下側をそれぞれ便座装置１の後方および前方とし、同じく左下側および右上側を、それぞれ便座装置１の左方および右方として説明する。
【００１０】
本実施形態において、便座装置１は、温水洗浄便座である。便座装置１は、本体部１０、便座２０およびノズル３０を備えている。
【００１１】
本体部１０は、例えば公共のトイレルームに設置された腰掛式便器（図示なし）に取り付けられている。本体部１０は、図１乃至図７に示すように、ケーシング１１、表示部１２および発光部１３を備えている。
【００１２】
ケーシング１１は、中空に形成されている。ケーシング１１は、およそ左右対称に形成されている。ケーシング１１は、およそ一定の肉厚にて形成されている。ケーシング１１は、熱可塑性樹脂を、射出成形することによって形成されている。ケーシング１１は、図１乃至図５に示すように、下方部１１ａ、前方部１１ｂ、第一側方部１１ｃ、後方部１１ｄ、天井部１１ｅおよび一対の支持部１１ｆを備えている。
【００１３】
下方部１１ａは、ケーシング１１の下側の部位であって、腰掛式便器に取り付けられる部位である（図３および図４参照）。前方部１１ｂは、ケーシング１１の前側の部位であって、後方から前方に向かうにしたがって、上方から下方に向けて傾斜するように形成されている（図２および図３参照）。第一側方部１１ｃは、ケーシング１１の左側および右側の部位であって、およそ上下方向に沿って延びるように、側面視台形状に形成されている（図１乃至図３参照）。後方部１１ｄは、ケーシング１１の後側の部位であって、およそ上下方向に沿って延びるように、背面視矩形状に形成されている（図４参照）。
【００１４】
天井部１１ｅは、ケーシング１１の上側の部位である。天井部１１ｅは、前側部を上段部１１ｅ１とし、後側部を下段部１１ｅ２とする側面視段状に形成されている（図１乃至図４参照）。下段部１１ｅ２は、左右方向中央部から左端および右端の両方に向かうにしたがって、上方から下方に向けてわずかに傾斜するように形成されている（図４参照）。
【００１５】
一対の支持部１１ｆは、便座２０を回動可能に支持する部位である。一対の支持部１１ｆは、天井部１１ｅの上段部１１ｅ１から前方部１１ｂの前後方向の中央部にかけて上方に向けて隆起するように形成され、かつ、左右方向に沿って二つ並べて形成された部位である（図２参照）。一対の支持部１１ｆは、天井部１１ｅの上段部１１ｅ１の上方の部位にて便座２０を回動可能に支持する。
【００１６】
表示部１２は、発光部１３の発光によって運転状態を示すものである。運転状態は、便座装置１の電源のオンオフ状態、節電モードのオンオフ状態、および、便座装置１の点検の時期であるか否かの状態である。
【００１７】
節電モードは、便座２０の消費電力を抑制する制御モードである（詳細は後述する）。便座装置１の点検の時期は、例えば、便座装置１が設置されて電源が最初にオンされた時点から、所定時間（設置場所が公共のトイレルームである場合、例えば２年）経過した時期である。
【００１８】
表示部１２は、図１乃至図７に示すように、ケーシング１１における天井部１１ｅの所定部位１１ｅ３に設けられている。所定部位１１ｅ３は、天井部１１ｅの下段部１１ｅ２における左端部に設けられている。すなわち、表示部１２は、上段部１１ｅ１より後方かつ下方に位置するように設けられている。また、下段部１１ｅ２が上述したように傾斜するように設けられているため、所定部位１１ｅ３は、天井部１１ｅにおける右側から左側に向かうにしたがって、上方から下方に向けて傾斜するように設けられている。
【００１９】
また、表示部１２とケーシング１１とは、一体に形成されている。上述したように所定部位１１ｅ３が傾斜しているため、表示部１２の外面も所定部位１１ｅ３の外面と同様に傾斜している。表示部１２は、図６および図７に示すように、ベース部１２ａおよび複数の薄肉部１２ｂを備えている。
【００２０】
ベース部１２ａは、ケーシング１１の所定部位１１ｅ３に相当する部位であり、所定部位１１ｅ３と同じ肉厚に形成されている。ベース部１２ａには、複数の薄肉部１２ｂが設けられている。
【００２１】
複数の薄肉部１２ｂは、ベース部１２ａに対して厚みが薄くなるように形成され、発光部１３が発した光を透過させて運転状態を示すものである。複数の薄肉部１２ｂは、ベース部１２ａの内側面より凹むように形成されている。複数の薄肉部１２ｂは、円柱状に凹むように形成されている。これにより、表示部１２の外面は、天井部１１ｅの下段部１１ｅ２の外面と同一曲面によって形成され、ケーシング１１の外面に対して段差および隙間が形成されない。複数の薄肉部１２ｂは、ケーシング１１が射出成形されることにより形成される。このように、表示部１２は、ケーシング１１に設けられているため、本第一実施形態においては、ケーシング１１が本発明の一方の部材に相当する。
【００２２】
第一の薄肉部１２ｂ１は、電源のオンオフ状態を示すものである。表示部１２の外面における第一の薄肉部１２ｂ１の前方には、「電源」の文字が印字されている。第二の薄肉部１２ｂ２は、節電モードのオンオフ状態を示すものである。表示部１２の外面における第二の薄肉部１２ｂ２の前方には、「節電」の文字が印字されている。第三の薄肉部１２ｂ３は、便座装置１の点検の時期であるか否かの状態を示すものである。表示部１２の外面における第三の薄肉部１２ｂ３の前方には、「点検」の文字が印字されている。
【００２３】
発光部１３は、図７に示すように、ケーシング１１内に収納され、発光可能に設けられたものである。発光部１３は、複数（本実施形態においては３つ）設けられている。発光部１３は、例えば発光ダイオード（ＬＥＤ）である。発光部１３は、基板４０の一方面に配置されている。基板４０は、セラミック等の絶縁材料にて板状に形成され、一方面に発光部１３を発光させる電気回路（図示なし）が設けられている。また、基板４０は、上方を開放する箱状のケース４０ａに収納され、ケーシング１１の天井部１１ｅの内側に一体に設けられた複数のフック部１１ｅ４によってケース４０ａとともにケーシング１１の内側に固定されている。
【００２４】
第一の発光部１３ａは、第一の薄肉部１２ｂ１と対向して、第一の薄肉部１２ｂ１に向けて発光可能に配置されている。第一の発光部１３ａは、便座装置１の電源がオン状態である場合に緑色に点灯し、便座装置１の電源がオフ状態である場合に消灯する。第一の発光部１３ａが点灯した場合、第一の薄肉部１２ｂ１が第一の発光部１３ａからの光を透過して、上面視円状に点灯する。これにより、電源がオン状態であることが示される。
【００２５】
第二の発光部１３ｂは、第二の薄肉部１２ｂ２と対向して、第二の薄肉部１２ｂ２に向けて発光可能に配置されている。第二の発光部１３ｂは、節電モードがオン状態である場合に緑色に点灯し、節電モードがオフ状態である場合に消灯する。第二の発光部１３ｂが点灯した場合、第二の薄肉部１２ｂ２が第二の発光部１３ｂからの光を透過して、上面視円状に点灯する。これにより、節電モードがオン状態であることが示される。
【００２６】
第三の発光部１３ｃは、第三の薄肉部１２ｂ３と対向して、第三の薄肉部１２ｂ３に向けて発光可能に配置されている。第三の発光部１３ｃは、便座装置１の点検の時期である場合に赤色に点灯し、点検の時期でない場合に消灯する。第三の発光部１３ｃが点灯した場合、第三の薄肉部１２ｂ３が第三の発光部１３ｃからの光を透過して、上面視円状に点灯する。これにより、便座装置１の点検の時期であることが示される。
【００２７】
便座２０は、図１乃至図５に示すように、ケーシング１１に支持されたものである。便座２０は、後端部２１にて本体部１０の一対の支持部１１ｆに、閉状態Ｐ１と開状態Ｐ２との間を回動可能に支持されている。閉状態Ｐ１は、先端部２２が前方を向き、かつ使用者が着座する着座面Ｓ１が上方を向いた状態であって、使用者が着座面Ｓ１に着座可能な状態である（図１参照）。開状態Ｐ２は、先端部２２が上方を向いた状態であって、使用者が着座面Ｓ１に着座できない状態である（図２参照）。
【００２８】
便座２０は、閉状態Ｐ１において上面視環状に設けられている。便座２０は、便座２０が閉状態Ｐ１である場合に、天井部１１ｅを覆うように設けられている。具体的には、便座２０は、閉状態Ｐ１である場合に、後端部２１がケーシング１１の前方部１１ｂおよび天井部１１ｅの上段部１１ｅ１かけて、ケーシング１１に沿って延びるように形成されている。すなわち、便座２０の後端部２１は、便座２０が閉状態Ｐ１である場合に、天井部１１ｅの前側部（上段部１１ｅ１）を覆う。
【００２９】
このように、所定部位１１ｅ３ひいては表示部１２は、上段部１１ｅ１（天井部１１ｅの前側部）および便座２０の後端部２１より後方かつ下方に設けられている。よって、使用者が便座装置１の前方に立った場合に、所定部位１１ｅ３および表示部１２が、便座２０の後端部２１および天井部１１ｅの前側部（上段部１１ｅ１）に隠れて見えにくい。
【００３０】
また、便座２０の外面における後端部２１の上面、着座面Ｓ１および側面Ｓ２は、各々を互いに滑らかに接続する曲面によって形成されている。さらに、便座２０が閉状態Ｐ１である場合、便座２０の後端部２１の上面および側面Ｓ２と、本体部１０の第一側方部１１ｃの外面とが、各々を互いに滑らかに接続する同一曲面上に配置されるようにそれぞれ形成されている。
【００３１】
また、便座２０の後端部２１における着座面Ｓ１と反対の裏面Ｓ３には、一対の凹部２３が設けられている（図２参照）。便座２０が閉状態Ｐ１である場合に、一対の凹部２３に本体部１０の一対の支持部１１ｆが嵌まる。
【００３２】
また、便座２０は、肉厚をおよそ一定とする中空に形成されている。便座２０の外郭２０ａ内に着座面Ｓ１を加熱する加熱装置（図示なし）が収納されている。加熱装置は、例えば通電されることにより発熱するコードヒータ（図示なし）を用いて構成されている。着座面Ｓ１の温度が使用者によって設定された設定温度（例えば３８℃）となるように、後述する制御装置６０によってコードヒータの通電が制御される。
【００３３】
ノズル３０は、ケーシング１１内に収納され、洗浄水を噴出することにより人体の局部を洗浄するものである。ノズル３０は、全部がケーシング１１内に収納される収納位置と、少なくとも先端部３１がケーシング１１の外部に位置する洗浄位置（図１に示す位置）との間を移動可能に設けられている。ノズル３０は、洗浄位置に位置する場合、給水源（例えば上水道）から洗浄水が供給され、その洗浄水を噴出することにより、人体の局部を洗浄する。
【００３４】
また、便座装置１は、図１に示すように、リモコン装置５０を備えている。リモコン装置５０は、便座装置１を有線または無線によって遠隔操作するものである。リモコン装置５０には、洗浄を行う洗浄スイッチ５１、洗浄を停止するための止スイッチ５２、電源をオンオフするための電源スイッチ５３、節電モードをオンオフするための節電スイッチ５４および便座２０の設定温度を設定するための便座温度スイッチ５５を備えている。
【００３５】
制御装置６０は、ケーシング１１内に収納され、便座装置１を統括制御するものである。制御装置６０は、リモコン装置５０と通信して、各スイッチ５１〜５５のオンオフ状態を取得する。制御装置６０は、各スイッチ５１〜５５のオンオフ状態にしたがって、発光部１３の点灯および消灯、コードヒータの通電等を制御する。また、制御装置６０は、上述した節電モードがオン状態である場合、例えば、使用者が着座面Ｓ１に着座していない場合に、設定温度を所定温度（例えば３℃）下げることにより、コードヒータへの通電量を抑制するように制御する。
【００３６】
使用者が電源スイッチ５３によって電源をオン状態にした場合、第一の発光部１３ａが点灯して、第一の薄肉部１２ｂ１が点灯する。使用者が電源スイッチ５３によって電源をオフ状態にした場合、第一の発光部１３ａが消灯して、第一の薄肉部１２ｂ１が消灯する。
【００３７】
同様に、使用者が節電スイッチ５４によって節電モードをオン状態にした場合、第二の発光部１３ｂが点灯して、第二の薄肉部１２ｂ２が点灯する。使用者が節電スイッチ５４によって節電モードをオフ状態にした場合、第二の発光部１３ｂが消灯して、第二の薄肉部１２ｂ２が消灯する。
【００３８】
便座装置１が設置されて電源が最初にオン状態になった時点から所定時間が経過していない場合、第三の発光部１３ｃが消灯しているため、第三の薄肉部１２ｂ３が消灯している。電源が最初にオン状態になった時点から所定時間が経過した場合、第三の発光部１３ｃが点灯して、第三の薄肉部１２ｂ３が点灯する。なお、上述したように、表示部１２の外面は、天井部１１ｅの下段部１１ｅ２の外面と同一曲面によって形成され、かつ段差および隙間が形成されていないため、各発光部１３ａ，１３ｂ，１３ｃが消灯している場合、表示部１２が所定部位１１ｅ３に設けられていることについて使用者が気付きにくい。
【００３９】
本第一実施形態によれば、便座装置１は、中空に形成されたケーシング１１を有する本体部１０と、中空に形成され、ケーシング１１に支持された便座２０と、ケーシング１１内に収納され、発光可能に設けられた発光部１３と、ケーシング１１の所定部位１１ｅ３に設けられ、発光部１３の発光によって運転状態を示す表示部１２と、を備えている。表示部１２は、ベース部１２ａと、ベース部１２ａに対して厚みが薄くなるように形成され、発光部１３が発した光を透過させて運転状態を示す薄肉部１２ｂと、を備えている。
【００４０】
これによれば、表示部１２は、所定部位１１ｅ３に設けられ、複数の薄肉部１２ｂにて発光部１３が発した光を透過させることにより、便座装置１の運転状態を表示する。また、複数の薄肉部１２ｂは、ベース部１２ａに対して厚みが薄くなるように形成されている。よって、所定部位１１ｅ３において隙間や段差が無い表示部１２を設けることができる。したがって、便座装置１の表示部１２において汚れをたまりにくくすることができる。
【００４１】
また、表示部１２とケーシング１１とは、一体に形成されている。
これによれば、本体部１０のケーシング１１に対して隙間や段差が無いように、表示部１２を設けることができる。また、所定部位１１ｅ３（表示部１２）とケーシング１１とが別体に形成されている場合に比べて、本体部１０ひいては便座装置１の部品点数を低減することができる。よって、便座装置１の低コスト化を図ることができる。
【００４２】
また、複数の薄肉部１２ｂは、ベース部１２ａの内側面より凹むように形成されている。
これによれば、表示部１２の外面とケーシング１１の外面とが同一面となるように形成することができる。よって、表示部１２に付着した水や汚れが拭き取りやすくなるため、本体部１０のケーシング１１の清掃性を向上することができる。
【００４３】
また、複数の薄肉部１２ｂは、円柱状に凹むことにより形成されている。
これによれば、薄肉部１２ｂを簡便に形成することができる。
【００４４】
また、便座２０は、便座２０が閉状態Ｐ１である場合に、ケーシング１１の天井部１１ｅを覆うように設けられている。
【００４５】
これによれば、便座２０がケーシング１１の天井部１１ｅを覆うように形成された場合、便座２０が天井部１１ｅを覆わないように形成された場合に比べて、上方視において、ケーシング１１と便座２０との間の隙間を少なくすることができる。よって、便座装置１の上方から落下して便座装置１に付着した水や汚れを取り除きやすくすることができる。
【００４６】
さらに、使用者が便座装置１を前方や上方から見た場合に、本体部１０と便座２０との隙間を見えにくくすることができるため、便座装置１の全体をすっきりとしたデザインとすることができる。
【００４７】
また、便座装置１は、ケーシング１１内に収納され、洗浄水を噴出することにより人体の局部を洗浄するノズル３０をさらに備えている。
これによれば、便座装置１が温水洗浄便座である場合においても、上述した効果と同様の効果を有する。
【００４８】
＜第二実施形態＞
次に、本発明による便座装置１の第二実施形態について、主として上述した第一実施形態と異なる部分を、図８を用いて説明する。上述した第一実施形態の表示部１２は、ケーシング１１の所定部位１１ｅ３に設けられているが、本第二実施形態の表示部１１２は、便座１２０の所定部位１２０ｂ１に、便座１２０と一体に設けられている。すなわち、本第二実施形態においては、便座１２０が本発明の一方の部材に相当する。
【００４９】
本第二実施形態の所定部位１２０ｂ１ひいては表示部１１２は、具体的には、便座１２０における頂上部１２０ｂに設けられている。頂上部１２０ｂは、便座１２０の外郭１２０ａの部位のうち最も高いところの部位である。本第二実施形態の頂上部１２０ｂは、後端部１２１の上側部である。また、本第二実施形態の発光部１１３は、便座１２０の外郭１２０ａ内に収納される。これによれば、表示部１１２を便座１２０の外郭１２０ａに設けた場合においても、表示部１１２に汚れをたまりにくくすることができる。
【００５０】
＜第三実施形態＞
次に、本発明による便座装置１の第三実施形態について、主として上述した第一実施形態と異なる部分を、図９を用いて説明する。上述した第一実施形態の便座２０は、後端部２１がケーシング１１の天井部１１ｅを覆うように設けられているが、本第三実施形態の便座２２０は、後端部２２１がケーシング２１１の天井部２１１ｅを覆わずに、前方部２１１ｂのみを覆うように設けられている。また、便座２２０を支持する支持部２１１ｆは、ケーシング２１１の前方部２１１ｂに前方に向けて隆起するように一つだけ設けられている。さらに、便座装置１は、ケーシング２１１の支持部２１１ｆに回動可能に支持され、便座２２０を覆う便蓋２７０を備えている。また、ケーシング２１１の天井部２１１ｅには、段差が設けられていない。
【００５１】
＜他の変形例＞
なお、上述した各実施形態において、便座装置の一例を示したが、本発明はこれに限定されず、他の構成を採用することもできる。例えば、便座装置１は、温水洗浄便座であるが、これに代えて、洗浄機能を有さない暖房便座としても良い。
【００５２】
また、上述した各実施形態において、複数の薄肉部１２ｂは、ケーシング１１が射出成形されるときに形成されるが、これに代えて、ケーシング１１が射出成形された後に、加工（例えば切削加工）されることによって、形成されるようにしても良い。
【００５３】
また、上述した第一実施形態において、表示部１２は、天井部１１ｅの左端部に設けられているが、これに代えて、天井部１１ｅの右端部あるいは中央部に設けるようにしても良い。さらに、図３に示す表示部３１２のように、第一側方部１１ｃ（所定部位１１ｃ１）、あるいは図４に示す表示部４１２のように、後方部１１ｄ（所定部位１１ｄ１）に設けるようにしても良い。
【００５４】
また、上述した第二実施形態において、表示部１１２は、便座１２０の外郭１２０ａにおける後端部１２１の上側部（頂上部１２０ｂの所定部位１２０ｂ１）に設けられているが、図８に示す表示部５１２のように、便座１２０の外郭１２０ａにおける側方（左方または右方）の部位である第二側方部１２３（所定部位１２３ａ）に設けるようにしても良い。
【００５５】
また、上述した各実施形態において、表示部１２には、「電源」等の文字が印字されているが、これに代えて、「電源」等の文字を印字しないようにしても良い。
【００５６】
また、上述した各実施形態において、複数の薄肉部１２ｂは、円柱状に凹むように形成されているが（図７参照）、これに代えて、図１０に示す複数の薄肉部６１２ｂのように、半球状に凹むように形成するようにしても良い。また、図１１に示す複数の薄肉部７１２ｂのように、円錐台状に凹むように形成するようにしても良い。これによれば、複数の薄肉部１２ｂ，６１２ｂ，７１２ｂの形状によって発光部１３からの光の透過の度合いを変更することができるため、複数の薄肉部１２ｂ，６１２ｂ，７１２ｂが点灯する範囲や点灯したときの明るさを変更することができる。
【００５７】
さらに、図１２に示す複数の薄肉部８１２ｂのように、ベース部８１２ａの内側面より凹むように形成するとともに、ベース部８１２ａの外側面より例えば半球状に凹むように形成するようにしても良い。これによれば、発光部１３が消灯していることにより、複数の薄肉部８１２ｂが消灯している場合においても、表示部８１２の位置を確認することができる。なお、複数の薄肉部８１２ｂが、ベース部８１２ａの外側面より凹むように形成されるようにしても良い。この場合、段差を有さないように滑らかに凹むように複数の薄肉部８１２ｂが形成される。上述した図１０乃至図１２に示す変形例は、表示部１１２が便座１２０の外郭１２０ａに設けられている場合においても適用することができる。
【００５８】
また、上述した各実施形態において、複数の薄肉部１２ｂ，６１２ｂ，７１２ｂ，８１２ｂは、上面視円状に点灯するが、これに代えて、図１３に示す複数の薄肉部９１２ｂのように、ピクトグラムの形状にて点灯するように複数の薄肉部９１２ｂを形成しても良い。
【００５９】
また、上述した各実施形態において、便座装置１は、公共のトイレルームに設置されているが、これに代えて、個人宅のトイレルームに設置するようにしても良い。この場合、点検の時期の目安となる上述した所定時間は、例えば８年としても良い。
【００６０】
また、上述した各実施形態において、便座装置１は、リモコン装置５０を備えているが、これに代えて、便座装置１がリモコン装置５０を備えずに、各スイッチ５１〜５５を本体部１０に設けるようにしても良い。
【００６１】
また、上述した各実施形態において、表示部１２〜９１２は、便座装置１の運転状態を示しているが、これに代えて、各発光部１３ａ，１３ｂ，１３ｃの点滅や、点灯の組み合わせによって、便座装置１の異常を知らせるようにしても良い。
【００６２】
また、上述した各実施形態において、表示部１２〜９１２と、ケーシング１１〜９１１および便座１２０の一方とは、一体に形成されているが、これに代えて、表示部１２〜９１２と、ケーシング１１〜９１１および便座１２０の一方とを別体に設けるようにしても良い。この場合、表示部１２〜９１２と、ケーシング１１〜９１１および便座１２０の一方とを、ネジ等を用いて結合し、または、溶着や接着剤等によって接着するようにしてもよい。これによれば、従来技術のように保護部材を設ける場合に比べて、ケーシング１１〜９１１および便座１２０の一方に対して表示部１２〜９１２の組付を簡便に行うことができ、かつ所定部位１１ｅ３〜９１１ｅ３，１１ｃ１，１１ｄ１，１２０ｂ１，１２３ａにおいて段差や隙間がないように表示部１２〜９１２の外面を形成することができる。
【００６３】
また、本発明の要旨を逸脱しない範囲において、ケーシング１１〜９１１、便座２０〜２２０、所定部位１１ｅ３〜９１１ｅ３，１１ｃ１，１１ｄ１，１２０ｂ１，１２３ａ、表示部１２〜９１２および複数の薄肉部１２ｂ〜９１２ｂの形状を変更するようにしても良い。また、発光部１３の種類や光の色を変更するようにしても良い。また、複数の薄肉部１２ｂ〜９１２ｂの個数や、複数の薄肉部１２ｂ〜９１２ｂ、頂上部１２０ｂ、所定部位１１ｅ３〜９１１ｅ３，１１ｃ１，１１ｄ１，１２０ｂ１，１２３ａおよび表示部１２〜９１２の大きさ、ならびに、ケーシング１１〜９１１あるいは便座１２０の外郭１２０ａに対する位置や範囲を変更するようにしても良い。
【符号の説明】
【００６４】
１…便座装置、１０…本体部、１１…ケーシング、１１ｅ…天井部、１１ｅ３…所定部位、１２…表示部、１２ａ…ベース部、１２ｂ…複数の薄肉部（薄肉部）、１３…発光部、２０…便座、２０ａ…外郭、３０…ノズル、１２０ｂ…頂上部、Ｐ１…閉状態、Ｐ２…開状態。
【図１】
2019126382.tif 000003
【図２】
2019126382.tif 000004
【図３】
2019126382.tif 000005
【図４】
2019126382.tif 000006
【図５】
2019126382.tif 000007
【図６】
2019126382.tif 000008
【図７】
2019126382.tif 000009
【図８】
2019126382.tif 000010
【図９】
2019126382.tif 000011
【図１０】
2019126382.tif 000012
【図１１】
2019126382.tif 000013
【図１２】
2019126382.tif 000014
【図１３】
2019126382.tif 000015